(57)【要約】【課題】バネにて梯子本体が軽く持ち上がって梯子本体の姿勢の変更が労力なしに行えるのは勿論、バネを梯子本体の梯子桁に納めたことにより支持部が大型にならなく、階上の空間の使用に弊害が生じたり外観が悪くなったりするおそれのないロフト梯子装置を提供する。【解決手段】階下の床面１と階上の床面２との間の壁面３の上部または階上の床面２に取り付けられる支持部Ａと、前記壁面３に対して立て掛けた状態で下端部を階下の床面１に設置する使用姿勢と前記壁面３に近接してほぼ垂直になる収納姿勢のいずれかに切り換え自在に前記支持部Ａに対して上部が上下方向に移動自在に且つ回転自在に連結されている梯子本体Ｂとを備えた梯子装置である。これにおいて、梯子本体Ｂを支持部Ａに対して上方に引き上げられるように付勢するバネ４を梯子本体Ｂの梯子桁５に内装する。【選択図】        図１
2004308332.tif 000002
【特許請求の範囲】
【請求項１】
階下の床面と階上の床面との間の壁面の上部または階上の床面に取り付けられる支持部と、前記壁面に対して立て掛けた状態で下端部を階下の床面に設置する使用姿勢と前記壁面に近接してほぼ垂直になる収納姿勢のいずれかに切り換え自在に前記支持部に対して上部が上下方向に移動自在に且つ回転自在に連結されている梯子本体とを備えた梯子装置において、梯子本体を支持部に対して上方に引き上げられるように付勢するバネを梯子本体の梯子桁に内装したことを特徴とする梯子装置。
【請求項２】
梯子本体の梯子桁は外側を開口せる断面リップ付きコ字状の溝型材で形成され、断面リップ付きコ字状の溝型材の内部を移動のガイド部としたことを特徴とする請求項１記載の梯子装置。
【請求項３】
支持部は壁面の上部または階上の床面に取り付けられる支持板部とこの支持板部に回転可能に取り付けられた軸部とこの軸部に取り付けられたスライド部でなり、断面リップ付きコ字状の溝型材からなる梯子桁内にスライド部を上下動自在に収納したことを特徴とする請求項１記載の梯子装置。
【請求項４】
スライド部は両端に突起を有し、断面リップ付きコ字状の溝型材の梯子桁内の開口と反対の奥面に突起を摺接させて両端の突起間の部分を前記奥面に対して浮かせて成ることを特徴とする請求項３記載の梯子装置。
【請求項５】
バネは板巻きバネで構成され、板巻きバネの伸張した平面は断面リップ付きコ字状の溝型材の梯子桁内の開口と反対の奥面とほぼ平行にしたことを特徴とする請求項２乃至請求項４のいずれかに記載の梯子装置。
【請求項６】
板巻きバネの巻き取り側の本体部は梯子本体側に取り付けられ、本体部と反対の板状巻きバネの先端部がスライド部に取り付けられたことを特徴とする請求項５記載の梯子装置。
【請求項７】
支持板部には周方向の一部を開口せる軸孔が設けられ、軸部が開口から軸孔に挿通されると共に軸部の先端から止め具が被着され、軸孔の開口からの軸部が外れないようにするために止め具に当接する抜け止め部が支持板部に設けられたことを特徴とする請求項３記載の梯子装置。
【請求項８】
板巻きバネの巻き取り側の本体部を覆うバネ部カバーが梯子桁に被嵌され、梯子桁に取り付ける手摺りバーの端部がバネ部カバーの挿通孔に挿通され、梯子桁から挿通孔を介して手摺りバーの端部に固着具が挿通されて手摺りバーの端部とバネ部カバーとが一緒に取り付けられたことを特徴する請求項５記載の梯子装置。
【発明の詳細な説明】
【０００１】
【発明の属する技術分野】
本発明は、中二階等の階上とその階下とを行き来するの使用する梯子装置に関するものである。
【０００２】
【従来の技術】
建物の内部空間を有効活用して住宅の多機能化の要請に対応するために、天井の上方に屋根裏部屋を設けて物置にしたり、部屋の内部に中二階部屋を設けて寝床にすること行われており、このような屋根裏部屋や中二階部屋（本発明の説明ではこれらロフトという）を設ける場合、ロフトと階下室との間を行き来するためのロフト梯子装置が必要となる。かかるロフト梯子装置としては、上部における上下方向に離れた位置に上下二段のフックが設けられた梯子本体と、壁面の上部に固定され且つフックが着脱自在に係止される取り付けパイプとから構成されたものが既に市販されている。
【０００３】
この市販のロフト梯子装置は、上段側のフックを壁面側の取り付けパイプに引っ掛けて梯子本体を壁面に立て掛けることによって使用され、また不要時には、下段側のフックを前記取り付けパイプに引っ掛けて梯子本体を壁面に近接させて垂直状態に吊り下げることにより、壁面側に収納できるようになっている。しかし、この市販のロフト梯子装置では、梯子本体を立て掛けた状態の使用姿勢から不要時の収納姿勢に切り換えるためには、梯子本体そのものを自力で持ち上げ、この状態で上段側のフックから下段側のフックに掛け直す必要があるため、梯子本体を姿勢変更する作業が非常に重労働で且つ面倒であるという欠点がある。
【０００４】
そこで、梯子本体を持ち上げるとき軽く持ち上げることができて梯子本体の姿勢変更を行えるようにしたロフト梯子装置が既に開発されている、これは、壁面に固定された支持部とこの支持部に対して上部が上下方向に移動自在且つ回転自在に連結された梯子本体とを具備し、梯子本体が上方に軽く持ち上がるように付勢するためにバランサーユニットやガスダンパー等のバランサー手段を支持部に設けてある（例えば、特許文献１参照）。
【０００５】
【特許文献１】
特開２００２−８９１６２号公報
【０００６】
【発明が解決しようとする課題】
上記従来例では、バランサーユニットやガスダンパー等のバランサー手段を設けてあるので梯子本体の姿勢を変更するために梯子本体を持ち上げるときに軽く持ち上げることができて姿勢の変更が容易にできるが、壁面やロフトの床面に取り付ける支持部にバランサーユニットやガスダンパー等のバランサー手段を設けなければならないため、支持部が大型になり、ロフトの使用の邪魔になったり外観が悪くなったりするという問題がある。
【０００７】
本発明は上記の点に鑑みてなされたものであり、バネにて梯子本体が軽く持ち上がって梯子本体の姿勢の変更が労力なしに行えるのは勿論、バネを梯子本体の梯子桁に納めたことにより支持部が大型にならなく、階上の空間の使用に弊害が生じたり外観が悪くなったりするおそれのない梯子装置を提供するにある。
【０００８】
【課題を解決するための手段】
上記課題を解決するための本発明の梯子装置は、階下の床面１と階上の床面２との間の壁面３の上部または階上の床面２に取り付けられる支持部Ａと、前記壁面３に対して立て掛けた状態で下端部を階下の床面１に設置する使用姿勢と前記壁面３に近接してほぼ垂直になる収納姿勢のいずれかに切り換え自在に前記支持部Ａに対して上部が上下方向に移動自在に且つ回転自在に連結されている梯子本体Ｂとを備えた梯子装置において、梯子本体Ｂを支持部Ａに対して上方に引き上げられるように付勢するバネ４を梯子本体Ｂの梯子桁５に内装したことを特徴とする。
【０００９】
上記のように梯子本体Ｂを支持部Ａに対して上方に引き上げられるように付勢するバネ４を設けたことにより、バネ４によって梯子本体Ｂを持ち上げるときに軽く持ち上がり、梯子本体Ｂの姿勢変更が労力なしに行える。しかもバネ４を梯子本体Ｂの梯子桁５に内装したことによりバネ４が梯子桁５内の空間を有効に利用して納められ、支持部Ａがコンパクトになって外観よくなると共に階上の空間の使用の支障とならない。
【００１０】
また梯子本体Ｂの梯子桁５は外側を開口せる断面リップ付きコ字状の溝型材５ａで形成され、断面リップ付きコ字状の溝型材５ａの内部を移動のガイド部としたことを特徴とすることも好ましい。この場合、梯子桁５を強固にできると共に支持部Ａに対する移動を円滑にガイドできる。また梯子桁５間に架設する踏み板６の端面を溝型材５ａのウェッブに当接して結合することで踏み板６の端面を面接触させて取り付けることができて踏み板６を安定よく取り付けることができる。
【００１１】
また支持部Ａは壁面３の上部または階上の床面２に取り付けられる支持板部７とこの支持板部７に回転可能に取り付けられた軸部８とこの軸部８に取り付けられたスライド部９でなり、断面リップ付きコ字状の溝型材５ａからなる梯子桁５内にスライド部９を上下動自在に収納したことを特徴とすることも好ましい。この場合、梯子本体Ｂを支持部Ａに対して回転自在且つ上下に移動自在に支持しながらスライド部９が梯子桁５から抜けることなくスムーズな上下移動が可能となる。
【００１２】
またスライド部９は両端に突起１０を有し、断面リップ付きコ字状の溝型材５ａの梯子桁５内の開口と反対の奥面に突起１０を摺接させて両端の突起１０間の部分を前記奥面に対して浮かせて成ることを特徴とすることも好ましい。突起１０が点的または線的に接触して安定し且つ円滑なスライドができる。また梯子桁５と踏み板６とを結合する結合部分もスライド部９のスライドの邪魔にならない。
【００１３】
またバネ４は板巻きバネ４ａで構成され、板巻きバネ４ａの伸張した平面は断面リップ付きコ字状の溝型材５ａの梯子桁５内の開口と反対の奥面とほぼ平行にしたことを特徴とすることも好ましい。バネ４が伸縮するときに梯子桁５と接触して発生するバネ音を少なくできる。
【００１４】
また板巻きバネ４ａの巻き取り側の本体部は梯子本体Ｂ側に取り付けられ、本体部と反対の板巻きバネ４ａの先端部がスライド部９に取り付けられたことを特徴とすることも好ましい。この場合、板状巻きバネ４ａの本体部側を梯子本体Ｂ側に取り付けることにより支持部Ａ側をコンパクトにできてシンプルな形状にできる。
【００１５】
また支持板部７には周方向の一部を開口せる軸孔１１が設けられ、軸部８が開口１１ａから軸孔１１に挿通されると共に軸部８の先端から止め具１２が被着され、軸孔１１の開口１１ａから軸部８が外れないようにするために止め具１２に当接する抜け止め部１３が支持板部７に設けられたことを特徴とすることも好ましい。この場合、支持板部７を取り付けた後に軸部８を軸孔１１に挿通して梯子本体Ｂの装着が可能となり、また止め具１２を抜け止め部１３に当接して抜け落ちる弊害を防止できる。
【００１６】
また板巻きバネ４ａの巻き取り側の本体部を覆うバネ部カバー１４が梯子桁５に被嵌され、梯子桁５に取り付ける手摺りバー１５の端部がバネ部カバー１４の挿通孔１６に挿通され、梯子桁５から挿通孔１６を介して手摺りバー１５の端部に固着具１７が挿通されて手摺りバー１５の端部とバネ部カバー１４とが一緒に取り付けられたことを特徴することも好ましい。この場合、バネ部カバー１４の取り付けと一緒に手摺りバー１５の取り付けができる。
【００１７】
【発明の実施の形態】
梯子本体Ｂは図２乃至図４に示すように左右両側に平行に立設した梯子桁５間に上下に間隔を隔てて複数の踏み板６を配置し、踏み板６の両端を梯子桁５に結合して組み立ててある。梯子桁５は断面リップ付きコ字状の溝型材５ａにて形成されており、溝型材５ａの開口を外側に向けると共に溝型材５ａのウェッブを踏み板６の端面に面接触させ、溝型材５ａの内部からビスのような固着具３６を踏み板６に螺合して踏み板６を梯子桁５に結合してある。上記梯子桁５や踏み板６はアルミニウムのような金属にて主体が構成されている。
【００１８】
この梯子本体Ｂは図１に示すように階下の床面１と階上のロフト（以下、階上の空間が屋根裏部屋や中二階部屋のロフトの例で説明する）の床面２との間で昇り降りするのに用いられるものであり、階下の床面１と階上のロフトの床面２との間の壁面３に対して図１の実線に示すように立て掛けた状態で下端部が階下の床面１に設置する使用姿勢と図１の想像線で示すように壁面３に近接してほぼ垂直になる収納姿勢のいずれかに切り換え自在になるように梯子本体Ｂを上部を上下方向に移動自在に且つ回転自在にしてある。
【００１９】
梯子本体Ｂの上部を回転自在に且つ上下に移動自在に支持する支持部Ａは梯子本体Ｂの両側の梯子桁５に対応するように一対設けられるが、この支持部Ａは本例の場合、支持板部７と軸部８とスライド部９とで主体が構成されている。支持板部７はブラケット状のものであり、支持板部７の基部に取り付け板１８を一体に設けてあり、取り付け板１８の取り付け孔１９からビス等の固着具を打入して取り付けられるようになっている。本例の場合、壁面３の上部に取り付け板１８を沿わせて取り付けてあるが、支持板部７をロフトの床面２に取り付けるようにしてもよい。この支持板部７の先端側には軸孔１１が穿孔してあるが、この軸孔１１は上方が開口１１ａにより開放してある。この支持板部７の周囲には断面略Ｌ字状の補強部２０を一体に設けてある。
【００２０】
支持部Ａのスライド部９はポリアセタール樹脂のような滑性のある合成樹脂にて形成されており、軸部８は金属にて形成されており、スライド部９と軸部８とは一体化されている。スライド部９は溝型材５ａからなる梯子桁５内に沿うブロック状の形成されているが、四隅に隅部方向に突出する突起１０を設けてあり、スライド部９を溝型材５ａの梯子桁５内に収納したとき、突起１０が溝型材５のウェッブ及び溝型材５ａの両側のフランジの先端のリップ部に当接し、突起１０が梯子桁５の内面に当接してスライドするようになっている。このように突起１０が当接して摺動することにより、スライド抵抗が少なくスムーズにスライドさせることができ、また突起１０によりウェッブに対して浮かせることで踏み板６を固着する固着具３６の頭に当たらないようにスライド部９を摺動させることができるようになっている。
【００２１】
軸部８は基部側に基板２１を一体に設けてあり、先端側に雄ねじ部２２を設けてあり、基板２１をスライド部９にインサート成形などで一体化してある。スライド部９を梯子桁５内にスライド自在に収納した状態で軸部８が外側に突出している。また溝型材５ａの梯子桁５内に上限用及び下限用のストッパー突起３８を設けてあり、スライド部９が上限まで移動したときや下限まで移動したときストッパー突起３８に当たってそれ以上スライドしないようになっている。
【００２２】
上記スライド部９は常に下方にスライドするように下方にバネ４にて付勢されているが、本例の場合、このバネとして板巻きバネ４ａを用いている。この板巻きバネ４ａは伸張した板平面が溝型材５ａの梯子桁５内のウェッブと平行になるように収納してある。板巻きバネ４ａの先端は軸部８の基板２１に当接してあり、板巻きバネ４ａの先端から基板２１にビスのような固着具２４を螺入して結合してある。板巻きバネ４ａの基部側の本体部は巻き取り部２５となっており、巻き取り部２５に巻き取るように引っ張っている。上記のようにバネ４が板巻きバネ４ａにしてあると、スライド部９をスライドさせるときバネ４が伸縮してもバネ音を抑えることができる。本例の場合、スライド部９をバネ４にて下方に引っ張っているが、スライド部９が下方に下がるようにバネ４にて上から押して付勢してもよい。
【００２３】
溝型材５ａの梯子桁５の開口部には合成樹脂にて形成せる蓋カバー２６を略全長に亙るように嵌め込んで被着してある。この蓋カバー２６のうちスライド部９がスライドする範囲には透孔２６ａを長孔状に穿孔してあり、この透孔２６ａに軸部８を挿通して軸部８の先端を突出させてある。上記板巻きバネ４ａの巻き取り部２５を配置する部分では蓋カバー２６が被着されず、バネ部カバー１４が被着されるようになっている。このバネ部カバー１４は内部に巻き取り部２５を収納し得る袋状に合成樹脂にて形成されており、巻き取り部２５をバネ部カバー１４内に収納した状態で巻き取り部２５の支持軸２７を回転自在に支持できるようになっている。巻き取り部２５を収納したバネ部カバー１４は梯子桁５の開口を覆うように梯子桁５に被嵌して取り付けられる。
【００２４】
バネ部カバー１４には挿通孔１６が設られており、手摺りバー１５の一方の端部が挿通孔１６に挿通されている。そして溝型材５ａの梯子桁５のウェッブ側から挿通孔１６を介して手摺りバー１５までビスのような固着具１７が螺合されており、この固着具１７にて手摺りバー１５の端部とバネ部カバー１４とが一緒に取り付けられている。また梯子桁５の上端部分でも蓋カバー２６が被着されず、端部支持カバー２８が被着されるようになっている。この端部支持カバー２８にも挿通孔１６が設けられており、この挿通孔１６に手摺りバー１５の他方の端部が挿通されており、溝型材５ａの梯子桁５のウェッブ側から挿通孔１６を介して手摺りバー１５までビスのような固着具１７が螺合されており、この固着具１７にて手摺りバー１５の端部と端部支持カバー２８が一緒に取り付けられている。
【００２５】
支持部Ａの支持板部７をロフト側に取り付けた状態で、梯子本体Ｂを取り付ける場合、軸部８の先端の雄ねじ部２２を支持板部７の開口１１ａから軸孔１１に挿通し、ワッシャー３０を介してナットのような止め具１２を雄ねじ部２２に螺合して締め付けことで軸部８を支持板部７に連結する。このとき、開口１１ａから軸部８を軸孔１１に挿通できるため、支持板部７を施工した後に梯子本体Ｂ側を取り付ける施工ができる。このように開口１１ａから軸部８を挿通できても支持板部７の補強部２０の開口１１ａの近傍に位置する部分が止め具１２の抜け止め部１３となって上方に抜けるのを防止できる。ナットのような止め具１２を締め付けた後、止め具に化粧キャップ３２を被着して外観よく仕上げてある。
【００２６】
上記のようにロフト梯子装置が構成されるが、梯子本体Ｂが支持部Ａに対して回転自在且つ上下動自在にしてあるために図１の実線に示すように立て掛けた状態で下端部を階下の床面１に設置する使用姿勢と図１の想像線で示すように壁面３に近接してほぼ垂直になる収納姿勢のいずれかに切り換えることができる。この切り換え操作を行うとき、バネ４による付勢にて梯子本体Ｂが軽く持ち上がり、労力を余り要せずに梯子本体Ｂの姿勢を容易に変えることができる。このとき梯子本体Ｂの梯子桁５内にバネ４を収納してあるために支持部Ａ側をコンパクト且つ外観よくできる。
【００２７】
また図７、図８は他の例の概略を示すものである。図７の例の場合、支持部Ａに軸部８を設けてあり、支持部Ａの取り付け板１８を壁面３に取着してある。梯子本体Ｂの板状の梯子桁５には長孔３３を穿孔してあり、長孔３３に軸部８を挿通してある。この場合、バネ４としてコイルスプリング４ｂを用いており、長孔３３にコイルスプリング４ｂを配置してあり、コイルスプリング４ｂの一端を軸部３に連結すると共にコイルスプリング４ｂの他端を梯子桁５の止め孔３４に連結してある。図８の例の場合、梯子桁５は断面コ字状にしてあり、この梯子桁５内にバネ４としてのコイルスプリング４ｂを収納してある。軸部８は断面コ字状の梯子桁５内に摺動自在に挿通してあり、コイルスプリング４ｂの一端を軸部８に連結すると共にコイルスプリング４ｂの他端を梯子桁５の止めピン３５に連結してある。これらの例でも梯子本体Ｂを使用姿勢や収納姿勢に変更するときバネ４にて軽く梯子本体Ｂを持ち上げることができ、労力を余り要せずに梯子本体Ｂの姿勢を容易に変えることができる。このときも梯子本体Ｂの梯子桁５内にバネ４を収納してあるために支持部Ａ側をコンパクト且つ外観よくできる。
【００２８】
上記実施の形態では、階上の空間がロフトでこのロフトに昇り降りする梯子装置について述べたが、天井裏収納室に昇り降りする梯子装置や地下室に対して昇り降りする梯子装置や２段ベッドに昇り降りする梯子装置やその他これに類似した梯子装置として用いることもできる。
【００２９】
【発明の効果】
本発明の請求項１の発明は、叙述の如く梯子本体を支持部に対して上方に引き上げられるように付勢するバネを設けたので、バネによって梯子本体を持ち上げるときに軽く持ち上がり、梯子本体の姿勢変更が労力なしに行えるものであり、しかもバネを梯子本体の梯子桁に内装したので、バネが梯子桁内の空間を有効に利用して納められ、支持部がコンパクトになって外観よくなると共に階上の空間の使用の支障とならないものである。
【００３０】
また本発明の請求項２の発明は、請求項１において、梯子本体の梯子桁は外側を開口せる断面リップ付きコ字状の溝型材で形成され、断面リップ付きコ字状の溝型材の内部を移動のガイド部としたので、梯子桁を強固にできると共に支持部に対する移動を円滑にガイドできるものである。
【００３１】
また本発明の請求項３の発明は、請求項１において、支持部は壁面の上部または階上の床面に取り付けられる支持板部とこの支持板部に回転可能に取り付けられた軸部とこの軸部に取り付けられたスライド部でなり、断面リップ付きコ字状の溝型材からなる梯子桁内にスライド部を上下動自在に収納したので、梯子本体を支持部に対して回転自在且つ上下に移動自在に支持しながらスライド部が梯子桁から抜けることなくスムーズな上下移動が可能となるものである。
【００３２】
また本発明の請求項４の発明は、請求項３において、スライド部は両端に突起を有し、断面リップ付きコ字状の溝型材の梯子桁内の開口と反対の奥面に突起を摺接させて両端の突起間の部分を前記奥面に対して浮かせているので、突起が点的または線的に接触して安定し且つ円滑なスライドができるものであり、また梯子桁と踏み板とを結合する結合部分もスライド部のスライドの邪魔にならないものである。
【００３３】
また本発明の請求項５の発明は、請求項２乃至請求項４のいずれかにおいて、バネは板巻きバネで構成され、板巻きバネの伸張した平面は断面リップ付きコ字状の溝型材の梯子桁内の開口と反対の奥面とほぼ平行にしたので、バネが伸縮するときに梯子桁と接触して発生するバネ音を少なくできるものである。
【００３４】
また本発明の請求項６の発明は、請求項５において、板巻きバネの巻き取り側の本体部は梯子本体側に取り付けられ、本体部と反対の板巻きバネの先端部がスライド部に取り付られたので、板状巻きバネの本体部側を梯子本体側に取り付けることにより支持部側をコンパクトにできてシンプルな形状にできるものである。
【００３５】
また本発明の請求項７の発明は、請求項３において、支持板部には周方向の一部を開口せる軸孔が設けられ、軸部が開口から軸孔に挿通されると共に軸部の先端から止め具が被着され、軸孔の開口から軸部が外れないようにするために止め具に当接する抜け止め部が支持板部に設けられたので、支持板部を取り付けた後に軸部を軸孔に挿通して梯子本体の装着が可能となり、また止め具を抜け止め部に当接して抜け落ちる弊害を防止できるものである。
【００３６】
また本発明の請求項８の発明は、請求項５において、板巻きバネの巻き取り側の本体部を覆うバネ部カバーが梯子桁に被嵌され、梯子桁に取り付ける手摺りバーの端部がバネ部カバーの挿通孔に挿通され、梯子桁から挿通孔を介して手摺りバーの端部に固着具が挿通されて手摺りバーの端部とバネ部カバーとが一緒に取り付けられたので、バネ部カバーの取り付けと一緒に手摺りバーの取り付けができるものである。
【図面の簡単な説明】
【図１】本発明の実施の形態の一例の一部切欠側面図である。
【図２】同上の斜視図である。
【図３】図２とは異なる方向から見た斜視図である。
【図４】同上の要部の分解斜視図である。
【図５】同上の支持部の分解斜視図である。
【図６】（ａ）が同上の梯子本体の要部の縦断面図、（ｂ）は同上のスライド部近傍で破断した横断面図である。
【図７】同上の他の例の概略分解斜視図である。
【図８】同上のさらに他の例の概略斜視図である。
【符号の説明】
Ａ  支持部
Ｂ  梯子本体
１  階下の床面
２  階上の床面
３  壁面
４  バネ
４ａ  板巻きバネ
５  梯子桁
５ａ  溝型材
６  踏み板
７  支持板部
８  軸部
９  スライド部
１０  突起
１１  軸孔
１１ａ  開口
１２  止め具
１３  抜け止め部
１４  バネ部カバー
１５  手摺りバー
１６  挿通孔
【図１】
2004308332.tif 000003
【図２】
2004308332.tif 000004
【図３】
2004308332.tif 000005
【図４】
2004308332.tif 000006
【図５】
2004308332.tif 000007
【図６】
2004308332.tif 000008
【図７】
2004308332.tif 000009
【図８】
2004308332.tif 000010